(57)【要約】      （修正有）【課題】複数のレイク受信機を含む無線受信機を提供する。【解決手段】無線受信機は、無線信号を各々が受信するＭ個のアンテナを有する。Ｎ個のレイク受信機モジュール108は、Ｍ個のアンテナから無線信号を受信し、当該無線信号のマルチパス成分を結合する。合計モジュール114は、Ｎ個のレイク受信機モジュールの出力を受信し、当該出力を結合して出力信号を生成する。ＭおよびＮは、１より大きい整数である。【選択図】図４
2014014127.tif 000002
【特許請求の範囲】
【請求項１】
無線信号を各々が受信するＭ個のアンテナと、
前記無線信号のうちの一つをそれぞれ受信するフロントエンドモジュールと、
前記Ｍ個のアンテナから前記無線信号を受信し、前記無線信号のマルチパス成分を結合するＮ個のレイク受信機モジュールと、
前記Ｎ個のレイク受信機モジュールの出力を受信し、前記出力を合計して一の出力信号を生成する合計モジュールと、
無線受信機に存在する前記Ｍ個のアンテナの数を検出し、前記無線受信機に存在する前記Ｍ個のアンテナの検出された数に基づいて受信機選択信号を生成する受信機選択モジュールとを備え、
ＭおよびＮは、１より大きい整数であり、
前記フロントエンドモジュールのそれぞれは、受信機イネーブルモジュールを備え、
前記受信機イネーブルモジュールは、前記受信機選択信号を受信し、
前記受信機選択モジュールは、前記受信機選択信号に基づいて、必要のない受信機経路を選択的にディセーブルにするよう前記受信機イネーブルモジュールを制御する
無線受信機。
【請求項２】
前記Ｎ個のレイク受信機モジュールのそれぞれは、前記Ｎ個のレイク受信機モジュールのうちの対応するレイク受信機モジュールのレイク結合係数を決定するレイク適応モジュールを有する、請求項１に記載の無線受信機。
【請求項３】
前記Ｎ個のレイク受信機モジュールのそれぞれは、前記Ｎ個のレイク受信機モジュールのうちの対応するレイク受信機モジュールのフィンガの信号強度に基づき、前記フィンガを選択的にイネーブルおよびディセーブルにするレイクイネーブルモジュールを有し、
前記無線信号を受信し、前記無線信号の信号強度と閾値とを比較し、前記比較に基づいてレイク選択信号を出力するレイク選択モジュールを備え、
前記レイクイネーブルモジュールは、前記レイク選択信号に基づいて、前記Ｎ個のレイク受信機モジュールのそれぞれを選択的にイネーブル及びディセーブルにする、請求項１又は２に記載の無線受信機。
【請求項４】
前記一の出力信号に基づき、周波数オフセットを決定する周波数位相ループモジュールをさらに備える、請求項１から３のいずれか１項に記載の無線受信機。
【請求項５】
前記無線受信機と、前記無線信号を送信する送信機との間のサンプリング周波数差を決定するタイミングループモジュールをさらに備え、
前記タイミングループモジュールは、
前記無線信号のうちの対応する無線信号に基づき、タイミングエラーをそれぞれ生成するＮ個のエラー生成モジュールと、
前記タイミングエラーを合計してタイミングエラー信号を生成する合計モジュールと、
前記タイミングエラー信号に基づき、タイミング訂正信号を生成するタイミングループと、
前記タイミング訂正信号に基づき、前記無線信号のサンプリングを調整するサンプルタイミング制御モジュールとを有する、請求項１から４のいずれか１項に記載の無線受信機。
【請求項６】
前記Ｎ個の受信機イネーブルモジュールは、Ｍ＜Ｎの場合、Ｍ個の前記受信機経路をイネーブルにし、Ｎ−Ｍ個の前記受信機経路をディセーブルにする、請求項１から５のいずれか１項に記載の無線受信機。
【請求項７】
前記受信機選択モジュールは、前記数に基づき、調整信号を生成する、請求項１から６のいずれか１項に記載の無線受信機。
【請求項８】
Ｍ＝Ｎである、請求項１から５のいずれか１項に記載の無線受信機。
【請求項９】
前記無線信号に基づき、前記無線受信機のゲインを調整する適応ゲイン制御モジュールをさらに備える、請求項１から８のいずれか１項に記載の無線受信機。
【請求項１０】
前記受信機イネーブルモジュールは、必要のない受信機経路をディセーブルにする場合に、必要のない受信機経路の信号値を強制的にゼロにする、請求項１から９のいずれか１項に記載の無線受信機。
【請求項１１】
前記受信機選択モジュールは、前記Ｍ個のアンテナの数又はイネーブル受信機経路の数の少なくとも一つに基づいて調整信号を生成し、
前記調整信号は、必要のない受信機経路をディセーブルにするために生成される、請求項１から１０のいずれか１項に記載の無線受信機。
【請求項１２】
周波数位相ループモジュール及びタイミングループモジュールの少なくとも一つをさらに備え、
前記周波数位相ループモジュール及び前記タイミングループモジュールのうち少なくとも一つのバンド幅は、前記調整信号に基づいて調整され、前記周波数位相ループモジュールのバンド幅は、前記Ｍ個のアンテナの数又は前記イネーブル受信機経路の数に基づいて調整される、請求項１１に記載の無線受信機。
【請求項１３】
前記受信機選択モジュールは、
前記Ｍ個のアンテナの数及びイネーブル受信機経路の数を検出し、
前記Ｍ個のアンテナの数及び前記イネーブル受信機経路の数に基づいて前記受信機選択信号を生成する、請求項１から１２のいずれか１項に記載の無線受信機。
【請求項１４】
ダウンサンプルされた無線信号を生成するために、前記無線信号をダウンサンプルするダウンサンプラをさらに備え、
前記Ｎ個の受信機モジュールのそれぞれはレイク適応モジュールを有し、
前記レイク適応モジュールのそれぞれは、前記一の出力信号及びダウンサンプルされた前記無線信号に基づいて、Ｎ個のレイク受信機モジュールのうち対応する一つのレイク結合係数を決定する、請求項１から１３のいずれか１項に記載の無線受信機。
【請求項１５】
前記レイク選択モジュールは、前記無線信号を受信し、前記無線信号の各フィンガの信号強度を決定し、前記信号強度と閾値とを比較し、信号強度が前記閾値より大きいフィンガを示し、
前記レイクイネーブルモジュールは、信号強度が前記閾値以下のフィンガをディセーブルにする、請求項３に記載の無線受信機。
【請求項１６】
前記無線信号のうちの一つを受信し、ダウンサンプリング周波数のサンプリング境界を決定するビット同期モジュールと、
前記ダウンサンプリング周波数に基づいて前記無線信号のうちの一つのサンプリングレートを引き下げる第１ダウンサンプラと、
前記ダウンサンプリング周波数に基づいて、前記合計モジュールの出力信号のサンプリングレートを引き下げる第２ダウンサンプラとをさらに備える、請求項１から１５のいずれか１項に記載の無線受信機。
【請求項１７】
前記Ｎ個のレイク受信機モジュールのそれぞれは、前記Ｎ個のレイク受信機モジュールのうちの対応するレイク受信機モジュールのレイク結合係数を決定するレイク適応モジュールを有し、
前記レイク適応モジュールは、前記合計モジュールからの前記一の出力信号に基づいて、前記レイク受信機モジュールのフィンガの遅延を調整する、請求項１から１６のいずれか１項に記載の無線受信機。
【発明の詳細な説明】
【関連出願】
【０００１】
本出願は、２００６年９月１２日に出願の米国特許仮出願番号第６０／８２５，３５６号の恩恵を主張する２００７年９月１１日に出願の米国特許出願番号第１１／８５３、４２１の継続出願であり、その全体の開示内容は、参照によりここに組み込まれる。
【技術分野】
【０００２】
本開示は、無線受信機に関し、より詳しくは、複数のレイク受信機を含む無線受信機に関する。
【背景技術】
【０００３】
開示の背景を概略的に示す目的で、発明の背景を説明する。現在名を挙げられている発明者の研究は、この背景技術の章に記載される範囲では、出願時において従来技術としてはみなされないこともありうる記載のいくつかの側面同様に、本開示に対する従来技術としては明確にも暗示的にも認められない。
【０００４】
無線通信においては、伝送信号（無線信号など）は、複数の伝送路を介して無線受信機に受信されうる。換言すれば、無線受信機は、複数の経路を介して同じ伝送信号を受信しうるアンテナを有する。複数の経路を介し同じ信号を受信するこの傾向は、「マルチパス」と称する。
【０００５】
マルチパスは、受信エラーの原因となり、無線通信の品質を低下させる。例えば、マルチパスは、符号間干渉（ＩＳＩ）を引き起こすこともある。複数の経路のうちの１つを介して受信された信号は、それ以外の経路を介して受信された同じ信号とは位相が異なる。同じ位相の複数の信号が無線受信機で受信されるときには、１つの強い信号となる。それとは逆に、位相を異にする複数の信号が無線受信機で受信されるときには、１つの弱いまたは減衰した信号（すなわちマルチパスフェージング）となる。
【０００６】
図１を参照すると、無線受信機１０は、マルチパスフェージング効果を補償するレイク受信機１２を有しうる。無線周波数（ＲＦ）フロントエンドモジュール１４は、アンテナ１８から無線信号１６を受信する。レイク受信機１２は、フロントエンドモジュール１４から無線信号１６を受信する。レイク受信機１２は、それぞれの経路を個別にデコードし、それぞれの経路の最も強い伝送特性を結合して出力信号２０を生成する。
【０００７】
無線受信機１０は、周波数位相ループモジュール２２、および、タイミングループモジュール２４を有する。周波数位相ループモジュール２２は、出力信号２０に基づき、周波数オフセットを推定する。タイミングループモジュール２４は、無線送信機（図示せず）と無線受信機１０との間のサンプリング周波数差を決定する。
【０００８】
図２を参照すると、レイク受信機１２は、複数のフィンガ３０−１、３０−２、３０−３、...３０−Ｎ（まとめてフィンガ３０と称する）と、複数の対応する遅延モジュール３２−１、３２−２、３２−３、...３２−Ｎ（まとめて遅延モジュール３２と称する）とを有する。フィンガ３０は、対応する伝送路を介して、マルチパス信号３４を受信する。フィンガ３０のそれぞれは、マルチパス信号３４のうちの対応するものを逆拡散させる。遅延モジュール３２は、マルチパス信号３４の時間オフセットを調整する。結合モジュール３６は、調整されたマルチパス信号３４を結合し、出力信号３８を生成する。結合された出力信号３８は、個々のマルチパス信号３４のどれよりもＳＮ比（信号対雑音比）が高くてよい。
【発明の概要】
【０００９】
無線受信機は、各々が無線信号を受信するＭ個のアンテナと、フロントエンドモジュールと、レイク受信機モジュールと、合計モジュールと、受信機選択モジュールとを有する。フロントエンドモジュールは、無線信号のうちの一つをそれぞれ受信する。Ｎ個のレイク受信機モジュールは、Ｍ個のアンテナから無線信号を受信し、当該無線信号のマルチパス成分を結合する。合計モジュールは、Ｎ個のレイク受信機モジュールの出力を受信し、当該出力を結合して出力信号を生成する。受信機選択モジュールは、無線受信器に存在するＭ個のアンテナの数を検出し、無線受信器に存在するＭ個のアンテナのうち検出されたアンテナの数に基づいて受信機選択信号を生成する。ＭおよびＮは、１より大きい整数である。また、フロントエンドモジュールのそれぞれは、受信機イネーブルモジュールを備え、受信機イネーブルモジュールは、受信機選択信号を受信し、受信機選択モジュールは、受信機選択信号に基づいて、必要のない受信機経路を選択的にディセーブルにするよう受信機イネーブルモジュールを制御する。
【００１０】
他の側面では、Ｎ個のレイク受信機モジュールのそれぞれは、Ｎ個のレイク受信機モジュールのうちの１つに対応するレイク結合係数を決定するレイク適応モジュールを含む。Ｎ個のレイク受信機モジュールのそれぞれは、フィンガの信号強度に基づき、Ｎ個のレイク受信機モジュールのうちの対応するレイク受信機モジュールのフィンガを選択的にイネーブルおよびディセーブルにするレイクネーブルモジュールを有する。レイク選択モジュールは、無線信号を受信し、無線信号の信号強度と閾値とを比較し、当該比較に基づきレイク選択信号を出力する。レイクネーブルモジュールは、レイク選択信号に基づき、Ｎ個のレイク受信機モジュールのそれぞれを選択的にイネーブルおよびディセーブルにする。
【００１１】
他の側面では、周波数位相ループモジュールは、出力信号に基づき、周波数オフセットを決定する。タイミングループモジュールは、無線受信機と、無線信号を送信する送信機との間のサンプリング周波数差を決定する。タイミングループモジュールは、複数の無線信号のうちの対応するものに基づき、タイミングエラーを生成するＮ個のエラー生成モジュールと、タイミングエラーを結合してタイミングエラー信号を生成する合計モジュールと、タイミングエラー信号に基づき、タイミング訂正信号を生成するタイミングループと、タイミング訂正信号に基づき、無線信号のサンプリングを調整するサンプルタイミング制御モジュールと、を有する。
【００１２】
他の側面では、Ｎ個の受信機イネーブルモジュールは、無線信号のそれぞれに対応する無線受信機の受信機経路を選択的にイネーブルおよびディセーブルにする。Ｍ＜Ｎの場合、Ｎ個の受信機イネーブルモジュールは、Ｍ個の受信機経路をイネーブルにし、Ｎ−Ｍ個の受信機経路をディセーブルにする。Ｎ個の受信機イネーブルモジュールは、受信機選択信号に基づき、受信機経路を選択的にイネーブルおよびディセーブルにする。受信機選択モジュールは、Ｍ個のアンテナの数を決定し、その数に基づき、受信機選択信号を生成する。受信機選択モジュールは、Ｍ＝Ｎである数に基づき、調整信号を生成する。適応ゲイン制御モジュールは、無線信号に基づき、無線受信機のゲインを調整する。
【００１３】
無線受信機は、それぞれ無線信号を受信するＭ個のアンテナ手段と、Ｍ個のアンテナ手段から無線信号を受信し、無線信号のマルチパス成分を結合するＮ個のレイク受信機手段と、Ｎ個のレイク受信機手段の出力を受信し、当該出力を結合して出力信号を生成する合計手段と、を含む。ＭおよびＮは、１より大きい整数である。
【００１４】
他の側面では、Ｎ個のレイク受信機手段は、Ｎ個のレイク受信機手段のうちの対応するもののレイク結合係数を決定するレイク適応手段を有する。Ｎ個のレイク受信機手段のそれぞれは、フィンガの信号強度に基づき、Ｎ個のレイク受信機手段のうちの対応するもののフィンガを選択的にイネーブルおよびディセーブルにするレイクネーブル手段を含む。無線受信機は、無線信号を受信し、無線信号の信号強度と閾値とを比較し、当該比較に基づき、レイク選択信号を出力するレイク選択手段をさらに備える。レイクネーブル手段は、レイク選択信号に基づき、Ｎ個のレイク受信機手段のそれぞれを選択的にイネーブルおよびディセーブルにする。
【００１５】
他の側面では、無線受信機は、出力信号に基づき、周波数オフセットを決定する周波数位相ループ手段をさらに備える。無線受信機は、無線受信機と、無線信号を送信する送信機との間のサンプリング周波数差を決定するタイミングループ手段をさらに備える。タイミングループ手段は、複数の無線信号のうちの対応するものに基づき、タイミングエラーを決定するＮ個のエラー生成手段と、タイミングエラーを結合してタイミングエラー信号を生成する合計手段と、タイミングエラー信号に基づき、タイミング訂正信号を生成するタイミングループ手段と、タイミング訂正信号に基づき、無線信号のサンプリングを調整するサンプルタイミング制御手段と、を有する。
【００１６】
他の側面では、無線受信機は、無線信号のそれぞれに対応する無線受信機の受信機経路を選択的にイネーブルおよびディセーブルにするＮ個の受信機イネーブル手段をさらに備える。Ｍ＜Ｎの場合、Ｎ個の受信機イネーブル手段は、Ｍ個の経路をイネーブルにし、Ｎ−Ｍ個の受信機経路をディセーブルにする。Ｎ個の受信機イネーブル手段は、受信機選択信号に基づき、受信機経路を選択的にイネーブルおよびディセーブルにする。無線受信機は、Ｍ個のアンテナ手段の数を決定し、その数に基づき、受信機選択信号を生成する受信機選択手段をさらに備える。受信機選択手段は、Ｍ＝Ｎである数に基づき、調整信号を生成する。無線受信機は、無線信号に基づき、無線受信機のゲインを調整する適応ゲイン制御手段をさらに備える。
【００１７】
無線受信機を操作する方法は、Ｍ個のアンテナのそれぞれにおいて無線信号を受信する段階と、Ｎ個のレイク受信機モジュールのそれぞれにおいてＭ個のアンテナから無線信号を無線信号を受信する段階と、Ｎ個のレイク受信機モジュールにおいて無線信号のマルチパス成分を結合する段階と、合計モジュールにおいて、Ｎ個のレイク受信機モジュールの出力を受信し、出力を結合して出力信号を生成する段階と、を備える。ＭおよびＮは、１以上の整数である。
【００１８】
他の側面では、方法は、Ｎ個のレイク受信機モジュールのうちの対応するもののレイク結合係数を決定する段階をさらに備える。方法は、フィンガの信号強度に基づき、Ｎ個のレイク受信機モジュールのうちの対応するものフィンガを選択的にイネーブルおよびディセーブルにする段階をさらに備える。方法は、無線信号の信号強度と閾値とを比較し、当該比較に基づき、レイク選択信号を出力する段階をさらに備える。方法は、レイク選択信号に基づき、Ｎ個のレイク受信機モジュールのそれぞれを選択的にイネーブルおよびディセーブルにする段階をさらに備える。
【００１９】
他の側面では、方法は、出力信号に基づき、周波数オフセットを決定する段階をさらに備える。方法は、無線受信機と、無線信号を送信する送信機との間のサンプリング周波数差を決定する段階をさらに備える。方法は、無線信号の対応するものに基づき、タイミングエラーを生成する段階と、タイミングエラーを結合してタイミングエラー信号を生成する段階と、タイミングエラー信号に基づき、タイミング訂正信号を生成する段階と、タイミング訂正信号に基づき、無線信号のサンプリングを調整する段階と、をさらに備える。
【００２０】
他の側面では、方法は、無線信号のそれぞれに対応する無線受信機の受信機経路を選択的にイネーブルおよびディセーブルにする段階をさらに備える。方法は、Ｍ＜Ｎの場合、Ｍ個の受信機経路をイネーブルにし、Ｎ−Ｍ個の受信機経路をディセーブルにする段階をさらに備える。方法は、受信機選択信号に基づき、受信機経路を選択的にイネーブルおよびディセーブルにする段階をさらに備える。方法は、Ｍ個のアンテナの数を決定し、その数に基づき、受信機選択信号を生成する段階をさらに備える。方法は、Ｍ＝Ｎである数に基づき、調整信号を生成する段階をさらに備える。方法は、無線信号に基づき、無線受信機のゲインを調整する段階をさらに備える。
【００２１】
本発明の適用性のさらなる領域は、以下の詳細な説明から明らかになろう。開示の好適な実施形態を示す際の詳細な説明および特定の例は、例示を目的とするものに過ぎず、本開示の範囲を限定するつもりはないことを理解されたい。
【図面の簡単な説明】
【００２２】
以下の詳細な説明、および、添付の図面から本開示の理解はさらに深まるであろう。
【００２３】
【図１】従来技術におけるレイク受信機を含む無線受信機の機能ブロック図である。
【００２４】
【図２】従来技術におけるレイク受信機の機能ブロック図である。
【００２５】
【図３】本開示における複数のレイク受信機モジュールを含む無線受信機の機能ブロック図である。
【００２６】
【図４】本開示におけるレイク受信機モジュールの機能ブロック図である。
【００２７】
【図５】本開示における無線受信機のフロントエンド部分の機能ブロック図である。
【００２８】
【図６】本開示におけるタイミングループモジュールの機能ブロック図である。
【００２９】
【図７】本開示における無線受信機を操作する方法を示す。
【００３０】
【図８Ａ】ハードディスクドライブの機能ブロック図である。
【００３１】
【図８Ｂ】ＤＶＤドライブの機能ブロック図である。
【００３２】
【図８Ｃ】ハイビジョンテレビの機能ブロック図である。
【００３３】
【図８Ｄ】車両制御システムの機能ブロック図である。
【００３４】
【図８Ｅ】携帯電話の機能ブロック図である。
【００３５】
【図８Ｆ】セットトップボックスの機能ブロック図である。
【００３６】
【図８Ｇ】モバイルデバイスの機能ブロック図である。
【発明を実施するための形態】
【００３７】
以下の説明は、事実上例に過ぎず、本開示、その用途または使用を限定することを意図していない。説明を明確にする目的で、複数の図面を通じ、同様の要素を特定するのに同じ参照符号を用いている。本願明細書において用いられる際、Ａ、Ｂ、および、Ｃの少なくとも１つというフレーズは、非排他論理和を用いた論理（ＡまたはＢまたはＣ）を意味するものと解釈されたい。方法における段階は、本開示の原理を変更せずに異なる順序で実行されてよいことを理解されたい。
【００３８】
本願明細書で用いられる際、モジュールという用語は、１つ以上のソフトウェアまたはファームウェアプログラム、組合せ論理回路、および／または、所望の機能を提供する他の適切な構成要素を実行するＡＳＩＣ（特定用途向け集積回路）、電子回路、プロセッサ（共有、専用、または、グループ）、および、メモリのことを指す。
【００３９】
一般的には、特定の通信プロトコル（例えばＩＥＥＥ規格８０２．１１ａ、８０２．１１ｂ、および／または、８０２．１１ｇのみ）によって通信する無線受信機は、単一の受信アンテナと、伝送された無線信号を受信する対応するレイク受信機とを有する。本開示における無線受信機は、複数の受信アンテナと、それぞれが伝送された無線信号のマルチパス成分を受信する、対応するレイク受信機とを含む。無線受信機は、レイク受信機のそれぞれからの信号を空間的に結合し、ゲインを上昇させて無線受信機の受信範囲を拡大する。
【００４０】
図３を参照すると、無線受信機１００は、受信アンテナ１０２−１、１０２−２、１０２−３、...１０２−Ｍ（まとめて複数の受信アンテナ１０２と称する）と、対応するＲＦフロントエンドモジュール１０４−１、１０４−２、１０４−３、１０４−Ｍ（まとめてＲＦフロントエンドモジュール１０４と称する）とを有する。アンテナ１０２およびＲＦフロントエンドモジュール１０４は、無線信号１０６−１、１０６−２、１０６−３、...１０６Ｍ（まとめて無線信号１０６と称する）を受信して処理する。レイク受信機モジュール１０８−１、１０８−２、１０８−３、...１０８−Ｍ（まとめてレイク受信機モジュール１０８と称する）は、それぞれのＲＦフロントエンドモジュール１０４を介し、アンテナ１０２から対応する無線信号１０６をそれぞれ受信する。
【００４１】
レイク受信機モジュール１０８のそれぞれは、対応する無線信号１０６のうちの１つの特徴をデコードして結合し、レイク受信機出力信号１１０−１、１１０−２、１１０−３、...１１０−Ｍ（まとめて出力信号１１０と称する）を生成する。複数の出力信号１１０が結合して出力信号１１２となる。例えば、無線受信機１００は、合計モジュール１１４において出力信号１１０を空間的に結合し、出力信号１１２を生成する。出力信号１１２は、デモジュレータ１１６、および、デスクランブラ１１８に出力される。
【００４２】
無線受信機１００は、周波数位相ループモジュール１２０、および、タイミングループモジュール１２２を有する。周波数位相ループモジュール１２０は、出力信号１１２に基づき周波数オフセット１２４を推定し、無線信号１０６のそれぞれをしかるべく補償する。例えば、周波数修正乗算器１２６−１、１２６−２、１２６−３、...１２６−Ｍ（まとめて周波数修正乗算器１２６と称する）は、周波数オフセット１２４、および、無線信号１０６のそれぞれを受信して乗算する。タイミングループモジュール１２２は、無線信号１０６を受信し、無線送信機（図示せず）と無線受信機１００との間のサンプリング周波数差を決定する。
【００４３】
図４を参照すると、無線受信機１００の中間部２００がより詳細に示されている。レイク受信機モジュール１０８のそれぞれは、バーカー相関器２０２−１、２０２−２、２０２−３、...２０２−Ｍ（まとめてバーカー相関器２０２と称する）のうちの対応するものと通信する。バーカー相関器２０２のそれぞれは、周波数修正乗算器１２６のそれぞれと通信して無線信号１０６をデコードする。
【００４４】
レイク受信機モジュール１０８のそれぞれは、レイク受信機モジュール１０８−１に関して示されるように、レイク受信機２０４、レイク適応モジュール２０６、および、レイクネーブルモジュール２０８を有する。レイク受信機２０４は、ダウンサンプラ２１２からダウンサンプルされた無線信号２１０を受信する。ダウンサンプラ２１２は、整数の因数によって（例えば、２の因数によってのみ）複数の無線信号１０６のうちの対応するもののサンプリングレートを減少させる。本実施例では、ダウンサンプラ２１２は、サンプリングレートを２２ＭＨｚから１１ＭＨｚに引き下げる。
【００４５】
レイク適応モジュール２０６は、出力信号１１２、および、ダウンサンプルされた無線信号２１０に基づき、レイク受信機２０４のレイク結合係数を決定する。例えば、レイク受信機２０４は、複数のフィンガ３０（図２を参照して上述したような）を有する。レイク受信機２０４は、レイク結合係数に基づき、フィンガ３０のそれぞれのさまざまなマルチパス信号を遅延させて結合する。レイク適応モジュール２０６は、マルチパス信号における変化に従い、レイク結合係数を調整する。
【００４６】
レイクネーブルモジュール２０８は、レイク選択信号２１４に基づき、レイク受信機２０４のフィンガ３０を選択的にイネーブルおよびディセーブルにする。例えば、無線受信機１００は、複数のレイク受信機モジュール１０８を有する。したがって、無線受信機１００は、増加した数のフィンガ３０を受信し、結合する。フィンガ３０のそれぞれは、ノイズの一因となる。特に、フィンガ３０が弱いと、高レベルのノイズの一因となる傾向がある。レイクネーブルモジュール２０８は、弱いフィンガ３０を選択的にデセーブルにしてノイズを減少させる。
【００４７】
レイクネーブルモジュール２０８は、レイク選択モジュール２１６からレイク選択信号２１４を受信する。レイク選択モジュール２１６は、無線信号１０６を受信し、レイク選択信号２１４をしかるべく生成する。例えば、レイク選択モジュール２１６は、無線信号１０６の各フィンガ３０のそれぞれの信号強度を決定し、信号強度と閾値とを比較してよい。レイク選択信号２１４は、どのフィンガ３０の信号強度が閾値より大きいかを示す。レイクネーブルモジュール２０８は、信号強度が閾値以下のフィンガ３０をディセーブルにする。
【００４８】
無線受信機は、ビット同期（ｂｉｔｓｙｎｃ）モジュール２２０を有する。ビット同期モジュール２２０は、無線信号１０６を受信し、所望のダウンサンプリング周波数のサンプリング境界を決定する。例えば、無線受信機１００は、サンプリングレートを２２ＭＨｚから１ＭＨｚに引き下げる。ダウンサンプラ２１２は、サンプリングレートを２２ＭＨｚから１１ＭＨｚに引き下げる。ダウンサンプラ２２２は、サンプリングレートを１１ＭＨｚから１ＭＨｚに引き下げる。ビット同期モジュール２２０は、バーカー相関器２０２の出力に基づき、サンプリング境界を決定する。例えば、ビット同期モジュール２２０は、バーカー相関器２０２の出力の最大絶対値に基づき、サンプリング境界を決定する（すなわち、バーカー相関器２０２のすべての最大出力）。
【００４９】
図５を参照すると、無線受信機１００のフロントエンド部分３００がより詳しく示されている。ＲＦフロントエンドモジュール１０４のそれぞれは、ＲＦフロントエンドモジュール１０４−１に関して示されるように、Ａ／Ｄ変換器（ＡＤＣ）３０２、フィルタモジュール３０４、ダウンサンプラ３０６、および、受信機イネーブルモジュール３０８を有する。ＡＤＣ３０２は、受信されアナログの無線信号１０６−１をデジタル信号に変換する。ＡＤＣ３０２は、タイミングループモジュール１２２からのフィードバックに基づき、無線信号１０６−１をサンプリングする。フィルタモジュール３０４は、特定の無線通信プロトコルに従い、信号１０６−１をフィルタリングする。一例に過ぎないが、フィルタモジュール３０４は、ＩＥＥＥ規格８０２．１１ｂフィルタを含んでよい。
【００５０】
受信機イネーブルモジュール３０８は、信号１０６−１に対応する受信機経路を選択的にイネーブルおよびディセーブルにする。一例に過ぎないが、受信機１００に２つのアンテナ（例えば信号１０６−１および１０６−２を受信するアンテナ）しかない場合、追加の受信機経路（例えば、信号１０６−３から信号１０６−Ｍに対応する受信機経路）はなくてもよい。受信機イネーブルモジュール３０８は、必要のない受信機経路はどれもディセーブルにする（例えば、受信機経路の信号値を強制的にゼロにする）。
【００５１】
受信機イネーブルモジュール３０８は、受信機選択信号３１０に従い動作する。受信機イネーブルモジュール３０８は、受信機選択モジュール３１２から受信機選択信号３１０を受信する。受信機選択モジュール３１２は、どの受信機経路をイネーブルにし、どの受信機経路をディセーブルにするかを決定する。一例に過ぎないが、受信機選択モジュール３１２は、存在するアンテナの数を自動的に検出し、受信機経路をしかるべくイネーブル／ディセーブルにしてよい。他の実施例では、ユーザ、および／または、メーカーは、既知のアンテナ数に基づき、受信機選択モジュール３１２を調整する。
【００５２】
受信機選択モジュール３１２は、アンテナ数と、対応するイネーブル受信機経路とに基づき、１つ以上の調整信号３１４を生成してよい。受信機選択モジュール３１２は、イネーブル受信機経路の数に影響される受信機１００の構成要素に調整信号３１４を出力する。一例に過ぎないが、周波数位相ループモジュール１２０、および、タイミングループモジュール１２２のバンド幅は、イネーブル受信機経路の数に基づき変化してよい。レイク適応モジュール１０８の係数は、イネーブル受信機経路の数に基づき変化する。
【００５３】
受信機１００は、適応ゲイン制御（ＡＧＣ）モジュール３１６を有してよい。ＡＧＣモジュール３１６は、無線信号１０６に基づき、受信機１００のゲインを調整する。
【００５４】
図６を参照すると、タイミングループモジュール１２２がより詳細に示されている。タイミングループモジュール１２２は、ゼロ交差エラー生成モジュール４００−１、４００−２、４００−３、...４００−Ｍ（まとめてゼロ交差エラー生成モジュール４００と称する）と、タイミングループ４０２と、サンプルタイミング制御モジュール４０４とを有する。ゼロ交差エラー生成モジュール４００のそれぞれは、複数の無線信号１０６のうちの対応するものを受信する。ゼロ交差エラー生成モジュール４００は、無線信号１０６に基づき、それぞれのタイミングエラー４０６−１、４０６−２、４０６−３、...４０６−Ｍ（まとめてタイミングエラー４０６と称する）を生成する。
【００５５】
合計モジュール４０８は、タイミングエラー４０６を受信して結合し、タイミングエラー信号４１０を生成する。タイミングループ４０２は、タイミングエラー信号４１０を受信し、当該タイミングエラー信号４１０に基づき、タイミング訂正信号４１２を生成する。サンプルタイミング制御モジュール４０４は、タイミング訂正信号４１２に基づき、ＲＦフロントエンドモジュール１０４のそれぞれのＡＤＣ３０２のサンプルタイミングを調整する。
【００５６】
図７を参照すると、ステップ５０２において、複数の受信機経路を有する無線受信機１００を操作する方法５００が開始する。ステップ５０４において、受信機選択モジュール３１２は、無線受信機１００内に存在するアンテナ１０２の数Ｍを決定する。ステップ５０６において、受信機選択モジュール３１２は、Ｍ個のアンテナ１０２をイネーブルにする。ステップ５０８において、受信機１００は、Ｍ個のアンテナ１０２を介し、無線信号１０６を受信する。ステップ５１０において、Ｍ個のレイク受信機モジュール１０８は、無線信号１０６を受信する。ステップ５１２において、Ｍ個のレイク受信機モジュール１０８の出力が空間的に結合されることにより、無線受信機１００のゲインが上昇する。方法５００は、ステップ５１４で終了する。
【００５７】
図８Ａから８Ｇを参照すると、本開示の教示を取り入れたさまざまな典型的な実施例が示されている。
【００５８】
図８Ａを参照すると、本開示の教示は、ハードディスクドライブ（ＨＤＤ）６００の入出力インターフェース６１５に実装されうる。例えば、入出力インターフェース６１５は、データを受信する無線受信機を有してよい。ＨＤＤ６００は、ハードディスクアセンブリ（ＨＤＡ）６０１と、ＨＤＤプリント回路基板（ＰＣＢ）６０２とを有する。ＨＤＡ６０１は、データを格納する１つ以上のプラッタなどの磁気媒体６０３と、読み出し／書き込みデバイス６０４とを有してよい。読み出し／書き込みデバイス６０４は、アクチュエータアーム６０５の上に配置され、磁気媒体６０３に対しデータの読み出し／書き込みを行ってよい。さらに、ＨＤＡ６０１は、磁気媒体６０３を回転させるスピンドルモータ６０６と、アクチュエータアーム６０５を起動するボイスコイルモータ（ＶＣＭ）６０７とを有してよい。プリアンプデバイス６０８は、読み出し動作の間に読み出し／書き込みデバイス６０４により生成された信号を増幅し、書き込み動作の間に信号を読み出し／書き込みデバイス６０４に供給する。
【００５９】
ＨＤＤ  ＰＣＢ６０２は、読み出し／書き込みチャネルモジュール（以降「読み出しチャネル」と称する）６０９と、ハードディスクコントローラ（ＨＤＣ）モジュール６１０と、バッファ６１１と、不揮発性メモリ６１２と、プロセッサ６１３と、スピンドル／ＶＣＭドライバモジュール６１４とを有する。読み出しチャネル６０９は、プリアンプデバイス６０８との間で送受信されるデータを処理する。ＨＤＣモジュール６１０は、ＨＤＡ６０１の構成要素を制御し、入出力インターフェース６１５を介して外部デバイス（図示せず）と通信する。外部デバイスは、コンピュータ、マルチメディアデバイス、モバイルコンピュータなどを含みうる。入出力インターフェース６１５は、有線および／または無線通信リンクを含んでよい。
【００６０】
ＨＤＣモジュール６１０は、ＨＤＡ６０１、読み出しチャネル６０９、バッファ６１１、不揮発性メモリ６１２、プロセッサ６１３、スピンドル／ＶＣＭドライバモジュール６１４、および／または、入出力インターフェース６１５からからデータを受信してよい。プロセッサ６１３は、エンコーディング、デコーディング、フィルタリング、および／または、フォーマッティングを含むデータ処理を行ってよい。処理されたデータは、ＨＤＡ６０１、読み出しチャネル６０９、バッファ６１１、不揮発性メモリ６１２、プロセッサ６１３、スピンドル／ＶＣＭドライバモジュール６１４、および／または、入出力インターフェース６１５に出力されてよい。
【００６１】
ＨＤＣモジュール６１０は、バッファ６１１および／または不揮発性メモリ６１２を用い、ＨＤＤ６００の制御および動作に関するデータを格納してよい。バッファ６１１は、ＤＲＡＭ、ＳＤＲＡＭなどを含んでよい。不揮発性メモリ６１２は、フラッシュメモリ（ＮＡＮＤおよびＮＯＲフラッシュメモリを含む）、相変化メモリ、磁気ＲＡＭ、または、各メモリセルが２つ以上の状態を有するマルチステートメモリを含んでよい。スピンドル／ＶＣＭドライバモジュール６１４は、スピンドルモータ６０６、および、ＶＣＭ６０７を制御する。ＨＤＤ  ＰＣＢ６０２は、ＨＤＤ６００の構成要素に電力を供給する電源６１６を有する。
【００６２】
図８Ｂを参照すると、本開示の教示は、ＤＶＤドライブ６１８、または、ＣＤドライブ（図示せず）の入出力インターフェース６２９に実装されうる。例えば、入出力インターフェース６２９は、データを受信する無線受信機を含みうる。ＤＶＤドライブ６１８は、ＤＶＤ  ＰＣＢ６１９と、ＤＶＤアセンブリ（ＤＶＤＡ）６２０とを有する。ＤＶＤ  ＰＣＢ６１９は、ＤＶＤ制御モジュール６２１、バッファ６２２、不揮発性メモリ６２３、プロセッサ６２４、スピンドル／ＦＭ（フィードモータ）ドライバモジュール６２５、アナログフロントエンドモジュール６２６、ライトストラテジモジュール６２７、および、ＤＳＰモジュール６２８を有する。
【００６３】
ＤＶＤ制御モジュール６２１は、ＤＶＤＡ６２０の構成要素を制御し、入出力インターフェース６２９を介して外部デバイス（図示せず）と通信する。外部デバイスは、コンピュータ、マルチメディアデバイス、モバイルコンピュータなどを含みうる。入出力インターフェース６２９は、有線および／または無線通信リンクを含んでよい。
【００６４】
ＤＶＤ制御モジュール６２１は、バッファ６２２、不揮発性メモリ６２３、プロセッサ６２４、スピンドル／ＦＭドライバモジュール６２５、アナログフロントエンドモジュール６２６、ライトストラテジモジュール６２７、ＤＳＰモジュール６２８、および／または、入出力インターフェース６２９からデータを受信してよい。プロセッサ６２４は、エンコーディング、デコーディング、フィルタリング、および／または、フォーマッティングを含むデータ処理を行ってよい。ＤＳＰモジュール６２８は、ビデオおよび／またはオーディオコーディング／デコーディングなどの信号処理を実行する。処理されたデータは、バッファ６２２、不揮発性メモリ６２３、プロセッサ６２４、スピンドル／ＦＭドライバモジュール６２５、アナログフロントエンドモジュール６２６、ライトストラテジモジュール６２７、ＤＳＰモジュール６２８、および／または、入出力インターフェース６２９に出力されてよい。
【００６５】
ＤＶＤ制御モジュール６２１は、バッファ６２２および／または不揮発性メモリ６２３を用い、ＤＶＤドライブ６１８の制御および動作に関するデータを格納してよい。バッファ６２２は、ＤＲＡＭ、ＳＤＲＡＭなどを含んでよい。不揮発性メモリ６２３は、フラッシュメモリ（ＮＡＮＤおよびＮＯＲフラッシュメモリを含む）、相変化メモリ、磁気ＲＡＭ、または、各メモリセルが２つ以上の状態を有するマルチステートメモリを含んでよい。ＤＶＤ  ＰＣＢ６１９は、ＤＶＤドライブ６１８の構成要素に電力を供給する電源６３０を有する。
【００６６】
ＤＶＤＡ６２０は、プリアンプデバイス６３１と、レーザドライバ６３２と、光リードライト（ＯＲＷ）デバイス、または、光リードオンリー（ＯＲ）デバイスでありうる光デバイス６３３とを有しうる。スピンドルモータ６３４は、光記憶媒体６３５を回転させ、フィードモータ６３６は、光記憶媒体６３５に対して光デバイス６３３を駆動させる。
【００６７】
光記憶媒体６３５からデータが読み出されると、レーザドライバは、光デバイス６３３に読み出し電力を供給する。光デバイス６３３は、光記憶媒体６３５からデータを検出し、検出されたデータをプリアンプデバイス６３１に伝送する。アナログフロントエンドモジュール６２６は、プリアンプデバイス６３１からデータを受信し、フィルタリングおよびＡ／Ｄ変換などの機能を実行する。光記憶媒体６３５に書き込むべく、ライトストラテジモジュール６２７は、電力レベル、および、タイミングデータをレーザドライバ６３２に伝送する。レーザドライバ６３２は、光デバイス６３３を制御し、データを光記憶媒体６３５に書き込む。
【００６８】
図８Ｃを参照すると、本開示の教示は、ハイビジョンテレビ（ＨＤＴＶ）６３７のネットワークインターフェース６４３に実装されうる。ＨＤＴＶ６３７は、ＨＤＴＶ制御モジュール６３８、ディスプレイ６３９、電源６４０、メモリ６４１、記憶装置６４２、ネットワークインターフェース６４３、および、外部インターフェース６４５を有する。ネットワークインターフェース６４３が無線ＬＡＮインターフェースを含む場合には、アンテナ（図示せず）を有してよい。
【００６９】
ＨＤＴＶ６３７は、ケーブル、ブロードバンドインターネット、および／または、衛星を介してデータを送受信することができるネットワークインターフェース６４３、および／または、外部インターフェース６４５から入力信号を受信しうる。ＨＤＴＶ制御モジュール６３８は、エンコーディング、デコーディング、フィルタリング、および／または、フォーマッティングを含む入力信号の処理を実行し、出力信号を生成してよい。出力信号は、ディスプレイ６３９、メモリ６４１、記憶装置６４２、ネットワークインターフェース６４３、および、外部インターフェース６４５の１つ以上に伝達されうる。
【００７０】
メモリ６４１は、ランダムアクセスメモリ（ＲＡＭ）、および／または、フラッシュメモリ、相変化メモリ、磁気ＲＡＭ、または、各メモリセルが２つ以上の状態を有するマルチステートメモリなどの不揮発性メモリを含みうる。記憶装置６４２は、ＤＶＤドライブ、および／または、ハードディスクドライブ（ＨＤＤ）などの光記憶ドライブを含みうる。ＨＤＴＶ制御モジュール６３８は、ネットワークインターフェース６４３、および／または、外部インターフェース６４５を介して外部と通信する。電源６４０は、ＨＤＴＶ６３７の構成要素に電力を供給する。
【００７１】
図８Ｄを参照すると、本開示の教示は、車両６４６のネットワークインターフェース６５２に実装されうる。車両６４６は、車両制御システム６４７、電源６４８、メモリ６４９、記憶装置６５０、および、ネットワークインターフェース６５２を有しうる。ネットワークインターフェース６５２が無線ＬＡＮインターフェースを含む場合には、アンテナ（図示せず）を有してよい。車両制御システム６４７は、パワートレイン制御システム、本体制御システム、エンターテイメント制御システム、アンチロックブレイクングシステム（ＡＢＳ）、ナビゲーションシステム、テレマティクスシステム、レーンデパーチャシステム、車間距離制御システムなどであってよい。
【００７２】
車両制御システム６４７は、１つ以上のセンサ６５４と通信し、１つ以上の出力信号６５６を生成してよい。センサ６５４は、温度センサ、加速度センサ、圧力センサ、回転センサ、気流センサなどを含みうる。出力信号６５６は、エンジン動作パラメータ、変速機動作パラメータ、サスペンションパラメータなどを制御しうる。
【００７３】
電源６４８は、車両６４６の構成要素に電力を供給する。車両制御システム６４７は、メモリ６４９、および／または、記憶装置６５０にデータを格納してよい。メモリ６４９は、ランダムアクセスメモリ（ＲＡＭ）、および／または、フラッシュメモリ、相変化メモリ、または、各メモリセルが２つ以上の状態を有するマルチステートメモリなどの不揮発性メモリを含みうる。記憶装置６５０は、ＤＶＤドライブ、および／または、ハードディスクドライブ（ＨＤＤ）などの光記憶ドライブを含みうる。車両制御システム６４７は、ネットワークインターフェース６５２を用いて外部と通信してよい。
【００７４】
図８Ｅを参照すると、本開示の教示は、携帯電話ネットワークインターフェース６６７、および／または、携帯電話６５８のネットワークインターフェース６６８に実装されうる。携帯電話６５８は、電話制御モジュール６６０、電源６６２、メモリ６６４、記憶装置６６６、および、セルラーネットワークインターフェース６６７を含む。携帯電話６５８は、ネットワークインターフェース６６８、マイクロフォン６７０、スピーカおよび／または出力ジャックなどのオーディオ出力６７２、ディスプレイ６７４、および、キーパッドおよび／またはポインティングデバイスなどのユーザ入力デバイス６７６を含みうる。ネットワークインターフェース６６８が無線ＬＡＮインターフェースを有する場合には、アンテナ（図示せず）が含まれてよい。
【００７５】
電話制御モジュール６６０は、セルラーネットワークインターフェース６６７、ネットワークインターフェース６６８、マイクロフォン６７０、および／または、ユーザ入力デバイス６７６から入力信号を受信してよい。電話制御モジュール６６０は、エンコーディング、デコーディング、フィルタリング、および／または、フォーマッティングを含む信号処理を実行し、出力信号を生成してよい。出力信号は、メモリ６６４、記憶装置６６６、セルラーネットワークインターフェース６６７、ネットワークインターフェース６６８、および、オーディオ出力６７２の１つ以上と通信してよい。
【００７６】
メモリ６６４は、ランダムアクセスメモリ（ＲＡＭ）、および／または、フラッシュメモリ、相変化メモリ、または、各メモリセルが２つ以上の状態を有するマルチステートメモリなどの不揮発性メモリを含みうる。記憶装置６６６は、ＤＶＤドライブ、および／または、ハードディスクドライブ（ＨＤＤ）などの光記憶ドライブを含みうる。電源６６２は、携帯電話６５８の構成要素に電力を供給する。
【００７７】
図８Ｆを参照すると、本開示の教示は、セットトップボックス６７８のネットワークインターフェース６８５に実装されうる。セットトップボックス６７８は、セットトップ制御モジュール６８０、ディスプレイ６８１、電源６８２、メモリ６８３、記憶装置６８４、および、ネットワークインターフェース６８５を有する。ネットワークインターフェース６８５が無線ＬＡＮインターフェースを含む場合には、アンテナ（図示せず）を有してよい。
【００７８】
セットトップ制御モジュール６８０は、ネットワークインターフェース６８５、および、ケーブル、ブロードバンドインターネット、および／または、衛星を介しデータを送受信できる外部インターフェース６８７から入力信号を受信してよい。セットトップ制御モジュール６８０は、エンコーディング、デコーディング、フィルタリング、および／または、フォーマッティングを含む信号処理を実行し、出力信号を生成してよい。出力信号は、標準およびまたは高解像度フォーマットのオーディオおよび／またはビデオ信号を含んでよい。出力信号は、ネットワークインターフェース６８５またはディスプレイ６８１に伝達されてよい。ディスプレイ６８１は、テレビ、プロジェクタ、および／または、モニタを含んでよい。
【００７９】
電源６８２は、セットトップボックス６７８の構成要素に電力を供給する。メモリ６８３は、ランダムアクセスメモリ（ＲＡＭ）、および／または、フラッシュメモリ、相変化メモリ、または、各メモリセルが２つ以上の状態を有するマルチステートメモリなどの不揮発性メモリを含みうる。記憶装置６８４は、ＤＶＤドライブ、および／または、ハードディスクドライブ（ＨＤＤ）などの光記憶ドライブを含みうる。
【００８０】
図８Ｇを参照すると、本開示の教示は、モバイルデバイス６８９のネットワークインターフェース６９４に実装されうる。モバイルデバイス６８９は、モバイルデバイス制御モジュール６９０、電源６９１、メモリ６９２、記憶装置６９３、ネットワークインターフェース６９４、および、外部インターフェース６９９を有してよい。ネットワークインターフェース６９４が無線ＬＡＮインターフェースを含む場合には、アンテナ（図示せず）を有してよい。
【００８１】
モバイルデバイス制御モジュール６９０は、ネットワークインターフェース６９４、および／または、外部インターフェース６９９から入力信号を受信してよい。外部インターフェース６９９は、ＵＳＢ、赤外線、および／または、イーサネット（登録商標）を含んでよい。入力信号は、圧縮オーディオおよび／またはビデオを含んでよく、ＭＰ３フォーマットに対応してよい。また、モバイルデバイス制御モジュール６９０は、キーパッド、タッチパッド、または、個々のボタンなどのユーザ入力６９６から入力を受信してよい。モバイルデバイス制御モジュール６９０は、エンコーディング、デコーディング、フィルタリング、および／または、フォーマッティングを含む信号処理を実行し、出力信号を生成してよい。
【００８２】
モバイルデバイス制御モジュール６９０は、オーディオ出力６９７にオーディオ信号を出力し、ディスプレイ６９８にビデオ信号を出力してよい。オーディオ出力６９７は、スピーカおよび／または出力ジャックを有してよい。ディスプレイ６９８は、メニュー、アイコンなどを含みうるグラフィカルユーザインターフェースを提示してよい。電源６９１は、モバイルデバイス６８９の構成要素に電力を供給する。メモリ６９２は、ランダムアクセスメモリ（ＲＡＭ）、および／または、フラッシュメモリ、相変化メモリ、磁気ＲＡＭ、または、各メモリセルが２つ以上の状態を有するマルチステートメモリなどの不揮発性メモリを含みうる。記憶装置６９３は、ＤＶＤドライブ、および／または、ハードディスクドライブ（ＨＤＤ）などの光記憶ドライブを含みうる。モバイルデバイスは、ＰＤＡ（パーソナル携帯情報機器）、メディアプレイヤ、ラップトップコンピュータ、または、他のモバイルコンピュータを含んでよい。
【００８３】
当業者であれば、本開示の広い教示の上記記載は、さまざまな形態で実装されうることが理解できよう。したがって、本開示は、特定の例を含んでいるが、本開示の真の範囲は、それに限定されないものとし、図面、明細書、および、以下の請求項の範囲を考慮すれば、当業者にとっては他の変形例も明らかなことであろう。
【図１】
2014014127.tif 000003
【図２】
2014014127.tif 000004
【図３】
2014014127.tif 000005
【図４】
2014014127.tif 000006
【図５】
2014014127.tif 000007
【図６】
2014014127.tif 000008
【図７】
2014014127.tif 000009
【図８Ａ】
2014014127.tif 000010
【図８Ｂ】
2014014127.tif 000011
【図８Ｃ】
2014014127.tif 000012
【図８Ｄ】
2014014127.tif 000013
【図８Ｅ】
2014014127.tif 000014
【図８Ｆ】
2014014127.tif 000015
【図８Ｇ】
2014014127.tif 000016
【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
バンド幅を持つ受信機であって、
複数の信号を受信できる複数のパスと、
信号を受信できる前記複数のパスの数を検出する第１の受信モジュールと、
イネーブルであることが検出された前記複数のパスの前記数に基づいて、（ｉ）前記受信機により受信される前記複数の信号は、イネーブルであると検出された前記複数のパスの前記数よりも少ない前記複数のパスの数により、受信可能か否か決定し、（ｉｉ）受信可能か否かの前記決定の結果に基づいて、イネーブルであると検出された前記複数のパスの一以上をディセーブルにする、イネーブルモジュールと、
前記イネーブルモジュールによりイネーブルにされた前記複数のパスの前記数に基づいて、前記受信機の前記バンド幅を調整する第２の受信モジュールと
を備える受信機。
【請求項２】
前記イネーブルモジュールは、イネーブルであることが検出された前記複数のパスの前記一以上をディセーブルするときに、ディセーブルされるパスの信号値をゼロにする請求項１に記載の受信機。
【請求項３】
前記受信機により受信される前記複数の信号をダウンサンプルし、ダウンサンプルされた複数の信号を出力する複数のダウンサンプラと、
（ｉ）前記受信機により受信される前記複数の信号、および、（ｉｉ）前記ダウンサンプルされた複数の信号を受信する、複数のレイクモジュールと、
前記複数のレイクモジュールの出力を合計する合計器と
をさらに備える請求項１に記載の受信機。
【請求項４】
前記複数のレイクモジュールのそれぞれは、適応モジュールを有し、
適応モジュールのそれぞれは、前記合計器の出力に基づいた、複数のレイクモジュールのうち対応する一つについて、および、前記ダウンサンプルされた複数の信号のうちの一つについて、複数の係数値を決定し、
前記複数のレイクモジュールは、前記複数の係数値に基づいて、受信機により受信される信号を遅延または結合させる
請求項３に記載の受信機。
【請求項５】
前記合計器の前記出力をダウンサンプルする第２のダウンサンプラをさらに備え、
前記適応モジュールのそれぞれは、前記第２のダウンサンプラの出力に基づいて、前記複数のレイクモジュールのうち対応する一つについての前記複数の係数値を決定する
請求項４に記載の受信機。
【請求項６】
前記受信機により受信される前記複数の信号にもとづいて、
前記複数のダウンサンプラのダウンサンプリング周波数のサンプリング境界をセットし、
前記第２のダウンサンプラのダウンサンプリング周波数のサンプリング境界をセットする、
ビット同期モジュールをさらに備える請求項５に記載の受信機。
【請求項７】
複数のレイクモジュールと、
選択モジュールと
をさらに備え、
前記複数のレイクモジュールのそれぞれは、複数のフィンガを有し、前記複数のフィンガのそれぞれは、前記受信機により受信される前記複数の信号の一つを受信し、
前記選択モジュールは、
前記受信機により受信される複数の信号を受信し、
前記受信機により受信される複数の信号の信号強度を決定し、前記信号強度を閾値と比較し、
前記複数のレイクモジュールにおける前記複数のフィンガのうち複数の第１のフィンガを前記閾値よりも強度が高い信号強度を有する複数の信号で表示し、
前記複数のレイクモジュールは、
前記閾値よりも低い強度の信号強度である複数の信号を有する、前記複数のレイクモジュールにおける前記複数のフィンガのうち複数の第２のフィンガをディセーブルする
請求項１に記載の受信機。
【請求項８】
前記第１の受信モジュールは、イネーブルであると検出された前記複数のパスの前記数に基づいて、第１の出力および第２の出力を生成し、
前記イネーブルモジュールは、前記第１の出力に基づいて、（ｉ）前記受信機により受信される信号が、イネーブルであると検出された前記複数のパスの前記数よりも少ない前記複数のパスの前記数により、受信可能か否か決定し、（ｉｉ）前記決定の結果に基づき、イネーブルであると検出された前記複数のパスの一以上をディセーブルにし、
前記第２の受信モジュールは、前記第２の出力に基づいて、前記受信機の前記バンド幅を調節する
請求項１に記載の受信機。
【請求項９】
複数のフロントエンドモジュールをさらに備え、
前記複数のフロントエンドモジュールの各々は、前記受信機により受信される前記複数の信号の一つを受信し、
前記第２の受信モジュールは、タイミングループモジュールを有し、
前記タイミングループモジュールは、（ｉ）前記第２の出力に基づいて前記受信機の前記バンド幅を調節し、（ｉｉ）前記複数のフロントエンドモジュールの出力に基づいて前記複数のフロントエンドモジュールのサンプルレートを調整する
請求項８に記載の受信機。
【請求項１０】
前記受信機により受信される前記複数の信号を受信する複数のレイクモジュールと、
前記複数のレイクモジュールの出力を合計する合計器と、
（ｉ）前記第２の出力に基づいて前記バンド幅を調整し、（ｉｉ）前記合計器の出力に基づいて周波数オフセットを推定し、（ｉｉｉ）前記周波数オフセットに基づいて、前記受信機により受信される前記複数の信号のそれぞれを調整する、周波数モジュールと
をさらに備える請求項８に記載の受信機。
【請求項１１】
複数の乗算器をさらに備え、
前記複数の乗算器の各々は、前記受信機により受信される前記複数の信号の一つと前記周波数オフセットとを乗算し、
前記複数のレイクモジュールの各々は、前記複数の乗算器のうち各々一つの乗算器の出力を受信する
請求項１０に記載の受信機。
【請求項１２】
前記受信機により受信される前記複数の信号を受信し、各々が、（ｉ）前記第２の出力に基づいて係数値を調整し、（ｉｉ）前記受信機により受信される前記複数の信号をデコードして出力信号を生成する、複数のレイクモジュールと、
前記複数のレイクモジュールの前記出力信号を合計する合計器と
をさらに備える
請求項８に記載の受信機。
【請求項１３】
前記複数のレイクモジュールの各々は、
前記第２の出力に基づいて複数の前記係数値のうちの一つを調整する適応モジュールと、
複数のフィンガから出力された前記複数の信号の信号強度に基づいて、前記複数のレイクモジュールのうち対応する一つのレイクモジュールの前記複数のフィンガをイネーブルにする、イネーブルモジュールと、
複数の前記係数値のうち前記一つの係数値に基づいて、前記複数のフィンガから出力された前記複数の信号を遅延または結合させるレイク受信機と
を有する
請求項１２に記載の受信機。
【請求項１４】
前記第１の受信モジュールは、
アンテナの数を検出し、
検出された前記アンテナの数に基づいて、前記第１の出力および前記第２の出力を生成する
請求項８に記載の受信機。
【請求項１５】
複数の信号を受信できる複数のパスと、
前記複数の信号を受信する受信機よりも前に位置し、信号を受信できる前記複数のパスの数を検出する第１の受信モジュールと、
イネーブルであることが検出された前記複数のパスの前記数に基づいて、（ｉ）前記受信機により受信される前記複数の信号は、イネーブルであると検出された前記複数のパスの前記数よりも少ない前記複数のパスの数により、受信可能か否か決定し、（ｉｉ）受信可能か否かの前記決定の結果に基づいて、イネーブルであると検出された前記複数のパスの一以上をディセーブルにする、イネーブルモジュールと、
複数の係数値に基づいて、前記受信機により受信される前記複数の信号を遅延または結合させる、複数のレイクモジュールと
を備え、
前記複数のレイクモジュールの各々は、前記イネーブルモジュールによりイネーブルにされた前記複数のパスの前記数に基づいて、前記複数の係数値のうち対応する一つの係数値を調整する受信機。
【請求項１６】
前記イネーブルモジュールは、イネーブルであることが検出された前記複数のパスのうち一以上のパスをディセーブルするとき、ディセーブルされるパスの信号値をゼロにする
請求項１５に記載の受信機。
【請求項１７】
前記受信機により受信される前記複数の信号をダウンサンプルし、ダウンサンプルされた複数の信号を出力する複数のダウンサンプラと、
前記複数のレイクモジュールの出力を合計する合計器と
をさらに備え、
前記複数のレイクモジュールは、（ｉ）前記受信機により受信される前記複数の信号、および、（ｉｉ）前記ダウンサンプルされた複数の信号を受信する
請求項１５に記載の受信機。
【請求項１８】
前記第１の受信モジュールは、イネーブルであると検出された前記複数のパスの前記数に基づいて、第１の出力および第２の出力を生成し、
前記イネーブルモジュールは、前記第１の出力に基づいて、（ｉ）前記受信機により受信される信号が、イネーブルであると検出された前記複数のパスの前記数よりも少ない前記複数のパスの前記数により、受信可能か否か決定し、（ｉｉ）前記決定の結果に基づき、イネーブルであると検出された前記複数のパスの一以上をディセーブルにし、
前記複数のレイクモジュールは、前記第２の出力に基づいて、前記複数の係数値を調節する
請求項１５に記載の受信機。
【請求項１９】
前記イネーブルモジュールによりイネーブルにされた前記複数のパスの前記数に基づいて、前記受信機のバンド幅を調整する第２の受信モジュールをさらに備える
請求項１５に記載の受信機。
【請求項２０】
選択モジュールをさらに備え、
前記複数のレイクモジュールは、複数のフィンガを有し、
前記複数のフィンガのそれぞれは、前記受信機により受信される前記複数の信号の一つを受信し、
前記選択モジュールは、
前記受信機により受信される複数の信号を受信し、
前記受信機により受信される複数の信号の信号強度を決定し、
前記信号強度を閾値と比較し、
前記複数のフィンガのうち複数の第１のフィンガを前記閾値よりも強度が高い信号強度を有する複数の信号で表示し、
前記複数のレイクモジュールは、前記閾値よりも低い強度の信号強度である複数の信号を有する、前記複数のレイクモジュールにおける前記複数のフィンガのうち複数の第２のフィンガをディセーブルする
請求項１５に記載の受信機。